(57)【要約】【課題】他のフォーマットによりタイトル別にグループ化された画像データを一般のＤＶＤプレーヤで再生可能なＤＶＤ−Ｖｉｄｅｏフォーマットにおけるタイトルに書き換えてファイナライズ処理を行う技術の提供。【解決手段】撮像手段と、前記撮像手段により得られた画像データを記録媒体に記録する記録手段と、第１のフォーマットに従い前記記録媒体に記録された複数の画像データを複数のグループに分類するための第１の管理情報を生成すると共に、前記第１のフォーマットとは異なる第２のフォーマットで前記記録媒体に記録された複数の画像データを前記グループ毎に再生するための第２の管理情報を生成する管理情報処理手段とを具備する。【選択図】      図１
2006080650.tif 000002
【特許請求の範囲】
【請求項１】
撮像手段と、
前記撮像手段により得られた画像データを記録媒体に記録する記録手段と、
第１のフォーマットに従い前記記録媒体に記録された複数の画像データを複数のグループに分類するための第１の管理情報を生成すると共に、前記第１のフォーマットとは異なる第２のフォーマットで前記記録媒体に記録された複数の画像データを前記グループ毎に再生するための第２の管理情報を生成する管理情報処理手段とを具備することを特徴とする記録装置。
【請求項２】
前記第１のフォーマットはＤＶＤ−ＶｉｄｅｏＲｅｃｏｒｄｉｎｇフォーマットであり、前記第２のフォーマットはＤＶＤ−Ｖｉｄｅｏフォーマットであることを特徴とする請求項１に記載の記録装置。
【請求項３】
前記記録手段は、前記画像データの記録停止に応じて前記第１の管理情報を前記記録媒体に記録すると共に、ファイナライズの指示に応じて、前記第１の管理情報に代わって前記第２の管理情報を前記記録媒体に記録することを特徴とする請求項２に記載の記録装置。
【請求項４】
前記管理情報は失敗画像データ又は不要画像データとその他の画像データとを他の前記グループとして分別するための情報であり、前記記録媒体から前記画像データを再生する再生手段と、前記管理情報を画像データ毎に再生しながら編集する手段を更に備えることを特徴とする請求項１乃至３のいずれか１項に記載の記録装置。
【請求項５】
前記記録手段は更に、前記画像データの記録停止に応じて前記第１の管理情報を前記記録媒体に記録することを特徴とする請求項１乃至４のいずれか１項に記載の記録装置。
【請求項６】
所定の指示に応じて、前記第１の管理情報に代わって前記第２の管理情報を前記記録媒体に記録するよう前記記録手段を制御する制御手段を備えたことを特徴とする請求項５記載の記録装置。
【請求項７】
前記制御手段は、前記記録媒体が書き換え可能な記録媒体である場合には前記第１の管理情報を消去した後に前記第２の管理情報を記録し、前記記録媒体が追記型の記録媒体であった場合には前記第１の管理情報を無効とした上で前記第２の管理情報を記録するよう前記記録手段を制御することを特徴とする請求項６記載の記録装置。
【請求項８】
前記記録手段は、一つのシーンに対応した前記画像データを一つのファイルとして前記記録媒体に記録すると共に、前記管理情報処理手段は、前記各グループに含まれる各ファイルの画像データをそれぞれ一つのチャプターとして管理するよう前記第２の管理情報を生成することを特徴とする請求項１乃至７のいずれか１項に記載の記録装置。
【請求項９】
撮像手段と、前記撮像手段により得られた画像データを記録媒体に記録する記録手段とを有する記録装置の記録方法であって、
第１のフォーマットに従い前記記録媒体に記録された複数の画像データを複数のグループに分類するための第１の管理情報を生成すると共に、前記第１のフォーマットとは異なる第２のフォーマットで前記記録媒体に記録された複数の画像データを前記グループ毎に再生するための第２の管理情報を生成する管理情報処理工程を備えることを特徴とする記録方法。
【請求項１０】
前記第１のフォーマットはＤＶＤ−ＶｉｄｅｏＲｅｃｏｒｄｉｎｇフォーマットであり、前記第２のフォーマットはＤＶＤ−Ｖｉｄｅｏフォーマットであることを特徴とする請求項９に記載の記録方法。
【請求項１１】
前記画像データの記録停止に応じて前記第１の管理情報を前記記録媒体に記録すると共に、ファイナライズの指示に応じて、前記第１の管理情報に代わって前記第２の管理情報を前記記録媒体に記録する記録工程を更に備えることを特徴とする請求項１０に記載の記録方法。
【請求項１２】
前記管理情報は失敗画像データ又は不要画像データとその他の画像データとを他の前記グループとして分別するための情報であり、
前記記録媒体から前記画像データを再生する再生工程と、前記管理情報を画像データ毎に再生しながら編集する工程を更に備えることを特徴とする請求項９乃至１１のいずれか１項に記載の記録方法。
【請求項１３】
更に、前記画像データの記録停止に応じて前記第１の管理情報を前記記録媒体に記録する工程を備えることを特徴とする請求項９乃至１２のいずれか１項に記載の記録方法。
【請求項１４】
所定の指示に応じて、前記第１の管理情報に代わって前記第２の管理情報を前記記録媒体に記録するよう前記記録手段を制御する制御工程を備えたことを特徴とする請求項１３記載の記録方法。
【請求項１５】
前記制御工程では、前記記録媒体が書き換え可能な記録媒体である場合には前記第１の管理情報を消去した後に前記第２の管理情報を記録し、前記記録媒体が追記型の記録媒体であった場合には前記第１の管理情報を無効とした上で前記第２の管理情報を記録するよう前記記録手段を制御することを特徴とする請求項１４記載の記録方法。
【請求項１６】
一つのシーンに対応した前記画像データを一つのファイルとして前記記録媒体に記録する工程を更に備えると共に、前記管理情報処理工程では、前記各グループに含まれる各ファイルの画像データをそれぞれ一つのチャプターとして管理するよう前記第２の管理情報を生成することを特徴とする請求項９乃至１５のいずれか１項に記載の記録方法。
【請求項１７】
請求項９乃至１６のいずれか１項に記載の記録方法を、撮像手段により得られた画像データを記録媒体に記録する記録装置のコンピュータに実行させるためのプログラム。
【請求項１８】
請求項１７に記載のプログラムを記憶したことを特徴とするコンピュータ可読記憶媒体。
【発明の詳細な説明】
【技術分野】
【０００１】
本発明は、動画や静止画を記録媒体に記録可能なカメラ一体型ＤＶＤレコーダー（ＤＶＤビデオカメラ）等の記録技術に関するものである。
【背景技術】
【０００２】
従来、撮影した画像データを磁気テープに記録するビデオカメラが知られている。
【０００３】
また、近年では、磁気テープに代わり、ＤＶＤなどのディスク記録媒体に対して画像データを記録するディスクビデオカメラが登場している。
【０００４】
ディスク記録媒体としてＤＶＤを用いた場合、記録フォーマットとして、一般のＤＶＤプレーヤとの再生互換性の高いＤＶＤ−Ｖｉｄｅｏフォーマットや、ＤＶＤプレーヤによっては再生できない機種もあるが各種の編集が容易なＤＶＤ−ＶＲフォーマットなどがあり、ユーザはこれらの記録フォーマットを切り替えて撮影を行うことになる。そして、ＤＶＤ−Ｖｉｄｅｏフォーマットにて記録を行った場合には、このディスクを一般のＤＶＤプレーヤにて再生するためにＤＶＤディスクのファイナライズ処理が必要である（例えば、特許文献１参照）。
【特許文献１】特開２００４−２２０４３号公報
【発明の開示】
【発明が解決しようとする課題】
【０００５】
前述のように、ビデオカメラで撮影を行う場合、被写体との間に無関係なものが写ってしまうなどの、失敗シーン／不要シーンを撮影してしまうことがある。
【０００６】
ディスクビデオカメラにおいては、ランダムアクセス性により、このような失敗シーンを容易に削除することは可能であるが、撮影を行いながらこのような失敗シーンの削除作業を実行することは非常に困難であった。
【０００７】
そのため、全ての撮影が終了してから失敗シーンのみを探して削除するか、あるいは、削除せずに、再生時に失敗シーンをスキップする必要があった。
【０００８】
また、ＤＶＤとしては各種のディスクが存在するが、特に追記型のディスクであるＤＶＤ−Ｒに記録した場合には、失敗シーンを削除することができないため、再生時に失敗シーンを再生したくない場合には、必ずユーザによるスキップ操作が必要になる。
【０００９】
さらに、上記ファイナライズ処理に関して、ＤＶＤ−ＶＲモード（ビデオレコーディングモード）はプレイリストを使った非破壊編集機能を持っているので、このプレイリストを利用して失敗シーンと他のシーンを分けて再生することが可能であるが、一般のＤＶＤプレーヤと互換性の高いＤＶＤ−Ｖｉｄｅｏフォーマットはこのようなプレイリストには対応しておらず、ＤＶＤプレーヤで再生するためにファイナライズ処理をしてしまうと、失敗シーンもその他のシーンも一つのタイトルとして記録されることになる。
【００１０】
そこで、本発明では、他のフォーマットによりタイトル別にグループ化された画像データを一般のＤＶＤプレーヤで再生可能なＤＶＤ−Ｖｉｄｅｏフォーマットにおけるタイトルに書き換えてファイナライズ処理を行う技術の提供を目的としている。
【課題を解決するための手段】
【００１１】
上記課題を解決し、目的を達成するために、本発明の記録装置は、撮像手段と、前記撮像手段により得られた画像データを記録媒体に記録する記録手段と、第１のフォーマットに従い前記記録媒体に記録された複数の画像データを複数のグループに分類するための第１の管理情報を生成すると共に、前記第１のフォーマットとは異なる第２のフォーマットで前記記録媒体に記録された複数の画像データを前記グループ毎に再生するための第２の管理情報を生成する管理情報処理手段とを具備する。
【００１２】
また、本発明は、撮像手段と、前記撮像手段により得られた画像データを記録媒体に記録する記録手段とを有する記録装置の記録方法であって、第１のフォーマットに従い前記記録媒体に記録された複数の画像データを複数のグループに分類するための第１の管理情報を生成すると共に、前記第１のフォーマットとは異なる第２のフォーマットで前記記録媒体に記録された複数の画像データを前記グループ毎に再生するための第２の管理情報を生成する管理情報処理工程を備える。
【００１３】
具体的には、前記第１のフォーマットはＤＶＤ−ＶｉｄｅｏＲｅｃｏｒｄｉｎｇフォーマットであり、前記第２のフォーマットはＤＶＤ−Ｖｉｄｅｏフォーマットである。
【００１４】
また、前記記録手段は、前記画像データの記録停止に応じて前記第１の管理情報を前記記録媒体に記録すると共に、ファイナライズの指示に応じて、前記第１の管理情報に代わって前記第２の管理情報を前記記録媒体に記録する。
【００１５】
また、前記管理情報は失敗画像データ又は不要画像データとその他の画像データとを他の前記グループとして分別するための情報であり、前記記録媒体から前記画像データを再生する再生手段又は工程と、前記管理情報を画像データ毎に再生しながら編集する手段又は工程を更に備える。
【００１６】
また、前記記録手段は更に、前記画像データの記録停止に応じて前記第１の管理情報を前記記録媒体に記録する。
【００１７】
また、所定の指示に応じて、前記第１の管理情報に代わって前記第２の管理情報を前記記録媒体に記録するよう前記記録手段を制御する制御手段又は工程を備えた。
【００１８】
また、前記制御手段又は工程は、前記記録媒体が書き換え可能な記録媒体である場合には前記第１の管理情報を消去した後に前記第２の管理情報を記録し、前記記録媒体が追記型の記録媒体であった場合には前記第１の管理情報を無効とした上で前記第２の管理情報を記録するよう前記記録手段を制御する。
【００１９】
また、前記記録手段は、一つのシーンに対応した前記画像データを一つのファイルとして前記記録媒体に記録すると共に、前記管理情報処理手段又は工程は、前記各グループに含まれる各ファイルの画像データをそれぞれ一つのチャプターとして管理するよう前記第２の管理情報を生成する。
【発明の効果】
【００２０】
以上説明したように、本発明によれば、他のフォーマットによりタイトル別にグループ化された画像データを一般のＤＶＤプレーヤで再生可能なフォーマットにおけるタイトルに書き換えてファイナライズ処理を行うことができる。
【００２１】
具体的には、撮影時の失敗シーン／不要シーンを、撮影中の操作によってユーザが設定した情報を管理情報としてＤＶＤディスクに記録し、ファイナライズ時に、この記録された管理情報により、別タイトルとしてオーサリングを行うことによりＤＶＤプレーヤで失敗シーン／不要シーンを選択し再生することが可能となる。
【発明を実施するための最良の形態】
【００２２】
以下に、本発明に係る実施の形態について添付図面を参照して詳細に説明する。
【００２３】
尚、以下に説明する実施の形態は、本発明の実現手段としての一例であり、以下に例示される態様は、本発明が適用される装置の構成や各種条件により適宜修正又は変更されるべきものであり、本発明は以下の実施の形態に限定されるものではない。
【００２４】
また、本発明は、後述する実施形態の機能を実現するソフトウェアのプログラムコードを記憶した記憶媒体（または記録媒体）を、システムあるいは装置に供給し、そのシステムあるいは装置のコンピュータ（またはCPUやMPU）が記憶媒体に格納されたプログラムコードを読み出し実行することによっても、達成されることは言うまでもない。
[第１の実施形態]
図１は本発明をデジタルビデオカメラに適用した実施形態を示すブロック図である。
【００２５】
図１において、１０１は撮像部、１０２は撮像部１０１より出力された動画像データに対して周知のカメラ信号処理を施すカメラ信号処理回路、１０３は、記録時においてはカメラ信号処理回路１０２から出力された動画像データをＭＰＥＧ２などの符号化方式で符号化すると共に、再生時においては再生された動画像データを復号する記録再生信号処理回路、１０４はディスクＤに対して動画像データや管理情報などを記録再生する記録再生回路であり、データの記録再生に必要な光ピックアップやシークモータ、スピンドルモータなどの各種のモータを含む。
【００２６】
１０５は操作スイッチ１０６の操作に従って各部を制御するシステムコントローラ、１０６は記録再生スイッチや、後述のＮＧスイッチなど、各種のスイッチを操作部、１０７は記録時においてはカメラ信号処理回路１０２からの動画像データを表示パネル１０８に表示すると共に、再生時においてはディスクＤから再生された動画像を表示し、更に、後述の如く失敗シーンの選択やファイナライズ処理のための操作画面を生成して表示パネル１０８に表示する表示制御回路、１０８は液晶表示パネル、１０９は記録再生信号処理回路１０３による処理のための画像メモリ、１１０はディスクＤに関する管理情報を記憶するディスク情報メモリである。
【００２７】
本実施形態のデジタルビデオカメラは、ディスクＤとしてＤＶＤ（ＤＶＤ−ＲＷ）ディスクを使用し、また、ＤＶＤ−Ｖｉｄｅｏフォーマットにて画像データを記録するディスクビデオカメラである。
【００２８】
撮影は、記録開始／停止スイッチの操作により開始され、撮影時に失敗シーンや不要シーンを記録してしまった時などにＮＧスイッチの操作により、管理情報として、そのシーンに対してＮＧデータ情報の設定が可能である。
【００２９】
また撮影されたＤＶＤディスクをＤＶＤプレーヤにて再生を行うために、ファイナライズ処理をメニュースイッチの操作にて設定メニューを表示し、設定メニューからファイナライズ処理を選択して、ファイナライズ処理を行う。
【００３０】
ファイナライズ処理時のシーケンスとしては、ディスクに記録されている画像データをディスク情報バッファメモリに読み出し、ＤＶＤ−Ｖｉｄｅｏフォーマットに対応する情報ファイルを作成する。
【００３１】
情報ファイルの作成時には、記録時にＮＧスイッチを操作することにより記録されたＮＧデータを使用し、タイトル分割やチャプター設定などの処理を行う。タイトル分割やチャプター設定によりＤＶＤ−Ｖｉｄｅｏフォーマットに対応する情報ファイルの作成を行い、ＤＶＤディスクに記録され、ファイナライズ完了後はＤＶＤプレーヤで再生可能となる。すなわち、ＤＶＤ−Ｖｉｄｅｏフォーマットでファイナライズ処理を行う場合、ファイナライズ前に失敗シーンと良好なシーンの二つのグループに分けておき、これらをＤＶＤ−Ｖｉｄｅｏフォーマットにおけるタイトルとして扱えるよう管理情報を書き換える。
【００３２】
図２は、撮影時にＮＧスイッチの操作により、撮影結果からＮＧシーンを別タイトルとしてオーサリングした結果を本編／ＮＧ集として例示しており、ＤＶＤメニューより、本編／ＮＧ集といったように再生するタイトルを選択することにより、本編では必要な部分のみ再生可能である。
【００３３】
次に、図４のフローチャートを用いて図１の記録装置の動作について説明する。
【００３４】
図４は、本発明に係る第１の実施形態の動作を示すフローチャートであり、本処理はシステムコントローラ１０５のマイクロコンピュータが行う。
【００３５】
先ず、図４（ａ）を用いてＮＧスイッチ操作による管理情報の記録処理について説明する。
[S01]
記録動作として、本ステップでは、記録開始／停止スイッチの検出を行う。記録停止時に、記録開始／停止スイッチが操作された場合には[S02]にて記録動作、記録時に、記録開始／停止スイッチが操作された場合には[S05]にて記録停止動作へ分岐処理を行う。
[S02]
記録動作では、撮像部１０１にて撮像される画像は、カメラ信号処理回路１０２にて所定の画像処理が施されて撮影画像データとして記録再生信号処理回路１０３に入力され、画像データに対してＭＰＥＧ圧縮等の処理が施されたのちディスクＤに記録される。
[S03,S04]
記録動作中に、ＮＧスイッチが操作された場合には、[S04]にてこの画像データのファイル名とデータの位置情報をディスク情報メモリ１１０に記憶する。ＮＧスイッチが操作されない場合には、[S01]に分岐し、記録継続のチェックを行う。
[S05]
記録動作が停止操作されると、本ステップにより映像信号のディスクＤへの書き込みを停止し、[S06]にて、ディスク情報メモリ１１０に記憶しておいたＮＧデータのファイル名、及び記録位置情報に基づき、ディスクＤに記録されたデータをＮＧデータとそれ以外のデータとにグループ分けするための管理情報を生成、或いは、既に管理情報が生成されていた場合にはその内容を変更してディスクＤに書き込む。なお、ここで記録する管理情報は、ＤＶＤ−Ｖｉｄｅｏフォーマットに対応していない管理情報（第１の管理情報）である。
[S06]
本ステップでは、ディスク情報メモリ１１０に記憶された画像データの管理情報のディスクＤへの記録を行い、再生時は記録された管理情報により再生を行う。
【００３６】
図４（ｂ）を用いてＮＧデータを使用した管理情報の作成を行うファイナライズ処理について説明する。なお、ファイナライズ処理は、メニュー操作によりユーザがファイナライズ開始操作を行うことにより開始される。
【００３７】
また、ＤＶＤ−Ｖｉｄｅｏフォーマットにおける、フォルダ／ファイル構成や“ＩＦＯ”ファイルなどの管理ファイルの具体的内容についてはＤＶＤ−Ｖｉｄｅｏフォーマット規格に規定されているので説明を省略する。
[S10]
本ステップでは、記録時に記録された画像データに対する管理情報を、ディスク情報メモリ１１０に読み出す。
[S11]
ディスク情報メモリ１１０から読み出された情報から、順次ＶＯＢファイルに対応するタイトル情報やチャプター情報におけるＩＦＯファイルの作成を行うが、本ステップでは対応するＶＯＢファイルへのＮＧ設定が行われているかの判断を行う。
[S12,S13]
ＮＧ設定がある／なしの判断により、別タイトルとしてＩＦＯファイルを作成する。このＩＦＯファイルはＤＶＤ−Ｖｉｄｅｏフォーマットに対応した管理情報（第２の管理情報）である。この管理情報により、ＮＧデータのグループとそれ以外のグループをそれぞれ構成する各画像データ（ファイル）が一つのチャプターとして管理される。
[S14]
本ステップにより、作成終了の判断を行い、作成終了でない場合には[S10]にて、同様の処理を繰り返し行う。
[S15]
先にディスクＤに記録されていた第１の管理情報を消去、或いは無効化し、前述の如く作成された第２の管理情報をディスクＤに書き込む。なお、ＤＶＤ−ＲＷの様に書き換え可能ディスクの場合には、最後に記録されている第１の管理情報を消去して第２の管理情報を上書きし、ＤＶＤ−Ｒの如く追記型のディスクの場合には第１の管理情報を無効化して第２の管理情報を記録する。
【００３８】
上記実施形態によれば、他のフォーマットによりタイトル別に失敗シーンと良好シーンの２つにグループ化された画像データを一般のＤＶＤプレーヤで再生可能なＤＶＤ−Ｖｉｄｅｏフォーマットにおけるタイトルとして扱えるように管理情報を書き換えてファイナライズ処理を行うことができる。
【００３９】
具体的には、撮影時の失敗シーン／不要シーンを、撮影中の操作によってユーザが設定した情報を管理情報としてＤＶＤディスクに記録し、ファイナライズ時に、この記録された管理情報により、別タイトルとしてオーサリングを行うことによりＤＶＤプレーヤで失敗シーン／不要シーンを選択し再生することが可能となる。
[第２の実施形態]
第２の実施形態の装置構成は第１の実施形態と同様であるため説明は省略する。
【００４０】
本実施形態は、図１の記録時におけるシーケンスとして、撮像部１０１にて撮像される画像が、レンズ系より撮像装置としてのＣＣＤに結像され、カメラ信号処理回路１０２において所定の読み出しタイミングによりＣＣＤから読み出される。読み出されたＣＣＤデータは電気画像信号に変換され、ＡＦ評価値や露光データなど撮影に必要な情報がシステムコントローラ１０５に伝えられ、システムコントローラ１０５はカメラ信号処理回路１０２から取得した情報によりＡＦ合焦動作やＡＥ／ＡＷＢ等の制御を行う。
【００４１】
カメラ信号処理回路１０２にて所定の画像処理が施された撮影画像データは記録再生信号処理回路１０３に入力され、画像データに対してＭＰＥＧ圧縮等の処理が施されたのちディスクＤに記録されると共にビデオ信号に変換されＬＣＤパネルやビデオ信号出力端子に出力される。
【００４２】
撮影は、記録開始／停止スイッチの操作により開始され、撮影時に失敗シーンや不要シーンを記録してしまった時などにＮＧスイッチの操作により、管理情報として、そのシーンに対してＮＧデータ情報の設定可能である。
【００４３】
また、撮影されたＤＶＤディスクをＤＶＤプレーヤにて再生を行うために、ファイナライズ処理をメニュースイッチの操作にて設定メニューを表示し、設定メニューからファイナライズ処理を選択し、ファイナライズを行う。
【００４４】
ファイナライズ時のシーケンスとしては、ディスクＤに記録されている画像情報がディスク情報メモリ１１０に読み出され、ＤＶＤ−Ｖｉｄｅｏフォーマットに対応する情報ファイルの作成を行う。
【００４５】
情報ファイルの作成時には、記録時にＮＧスイッチを操作することにより記録されたＮＧデータを使用し、タイトル分割やチャプター設定などの処理を行う。タイトル分割やチャプター設定により、ＤＶＤ−Ｖｉｄｅｏフォーマットに対応する、また、ＮＧデータはファイナライズ時に、図３に示すようなインデックス画像として参照でき、ＮＧデータの設定変更が可能であり、撮影時に不要シーンと判断して設定した画像データでも、必要シーンに変更可能である。このようにして情報ファイルの作成を行ってＤＶＤディスクに記録され、ファイナライズ完了後はＤＶＤプレーヤで再生可能となる。
【００４６】
本実施形態においても、図２に示すように、撮影時にＮＧスイッチの操作によってＮＧシーンを別タイトルとしてオーサリングして本編／ＮＧ集とし、ＤＶＤプレーヤの操作メニューより、本編／ＮＧ集といったように再生するタイトルを選択して、本編の必要な部分のみ再生可能である。
【００４７】
次に、図５のフローチャートを用いて図３のＮＧ画像選択処理について説明する。
【００４８】
図５は、本発明に係る第２の実施形態の動作を示すフローチャートであり、本処理はシステムコントローラ１０５のマイクロコンピュータが行う。なお、記録処理やファイナライズ処理については、第１の実施形態と同様であるため説明を省略する。
[S20]
本ステップでは、記録時に記録された画像データに対する管理情報を、ディスク情報メモリ１１０に読み出す。
[S21]
ディスク情報メモリ１１０に読み出された情報から、ディスクＤに記録されているＮＧ画像データの読み込みを行い、図３に示すインデックス画像の表示を行う。
[S22,S23]
図３に示すインデックス画像に対するチェックボックスにより、ＮＧ設定状態を示し、操作スイッチにより該当するチェックボックスのチェックをはずすことによりＮＧ設定の解除が可能となる。
[S24]
本ステップにより、作成終了の判断を行い、作成終了でない場合には[S21]にて、同様の作業を繰り返し行う。
[S25]
選択設定された管理情報のＤＶＤディスクへの書き込みを行う。
【図面の簡単な説明】
【００４９】
【図１】本発明に係る実施形態の記録装置の機能ブロック図である。
【図２】本実施形態の記録装置による動作を説明する図である。
【図３】本実施形態の記録装置による動作を説明する図である。
【図４】第１の実施形態の動作を示すフローチャートである。
【図５】第２の実施形態の動作を示すフローチャートである。
【図１】
2006080650.tif 000003
【図２】
2006080650.tif 000004
【図３】
2006080650.tif 000005
【図４】
2006080650.tif 000006
【図５】
2006080650.tif 000007